(57)【要約】【課題】低コストで信頼性及び客観性を有する評価結果を得ることができるモニタリングシステム等を提供する。【解決手段】石鹸塗布装置１１０、アルコール塗布装置１２０、給水栓１３０、エアタオル１４０の各衛生装置にそれぞれ振動センサ１１１、１２１、１３１、１４１を設置し、洗面台マット１５０に接触センサ１５１を設置する。各センサ信号を受信する管理用端末２００が、センサ信号に基づいて各衛生装置を用いた手指衛生行動の動作時間を取得し、当該時間が基準時間以上である場合に正常動作であると判定する。【選択図】図１
2017012597.tif 000002
【特許請求の範囲】
【請求項１】
石鹸塗布装置、給水栓、エアタオル及びアルコール塗布装置の少なくとも１つの衛生装置と、
前記衛生装置に設置され、振動を検出する振動センサと、
前記振動センサが検出した振動検出信号を無線送信する振動センサ無線タグと、
前記振動センサ無線タグが送信する前記振動検出信号に基づいて前記衛生装置を用いた動作を行う動作時間を推定する処理を行う処理装置と、
を備えたモニタリングシステム。
【請求項２】
前記振動センサ無線タグは前記振動センサが振動を検出している間、前記振動検出信号の送信を継続し、
前記処理装置は、前記振動検出信号の受信を継続している時間を、前記衛生装置を用いた衛生行動の動作時間であると推定する、
請求項１に記載のモニタリングシステム。
【請求項３】
前記振動センサが備えられる前記衛生装置は、前記石鹸塗布装置及び前記給水栓を含み、
前記処理装置は、前記石鹸塗布装置の前記振動センサ無線タグが送信する前記振動検出信号の受信を停止した時刻から前記給水栓の前記振動センサ無線タグが送信する前記振動検出信号の受信を開始する時刻までの時間の全部又は一部を、手擦り動作の動作時間であると推定する、
請求項２に記載のモニタリングシステム。
【請求項４】
前記処理装置は、推定した前記動作時間が予め定めた時間以上であるときに正常の動作であると判定する処理を行う、
請求項１乃至３のいずれか１項に記載のモニタリングシステム。
【請求項５】
前記処理装置は、推定した前記動作時間が予め定めた時間を下回るときに動作のやり直し指示のメッセージ信号を出力する処理を行う、
請求項１乃至４のいずれか１項に記載のモニタリングシステム。
【請求項６】
前記衛生装置を使用する使用者が携帯する無線タグであって、前記使用者を識別する識別情報を無線送信する使用者無線タグを更に備え、
前記処理装置は同時に２以上の前記識別情報を受信した場合に、１の前記識別情報が示す使用者以外の使用者に、前記衛生装置から離れることを指示するメッセージ信号を出力する、
請求項１乃至５のいずれか１項に記載のモニタリングシステム。
【請求項７】
前記衛生装置が配置された洗面台近傍の床面に設置され、前記使用者の接触を検出する接触センサと、
前記接触センサが検出した接触検出信号を無線送信する接触センサ無線タグと、を更に備え、
前記処理装置は、前記接触検出信号を受信した際に取得した前記識別情報が示す使用者を監視対象者として特定する、
請求項６に記載のモニタリングシステム。
【請求項８】
前記振動センサが備えられる前記衛生装置は、前記アルコール塗布装置を含み、
前記処理装置は、前記アルコール塗布装置の前記振動センサ無線タグが送信する前記振動検出信号の受信を停止した時刻から前記接触センサ無線タグが送信する前記接触検出信号の受信を停止した時刻までの時間の全部又は一部を、手擦り動作の動作時間であると推定する、
請求項７に記載のモニタリングシステム。
【請求項９】
前記衛生装置の使用者を撮影するカメラを更に備える、
請求項１乃至８のいずれか１項に記載のモニタリングシステム。
【請求項１０】
石鹸塗布装置、給水栓、エアタオル及びアルコール塗布装置の少なくとも１つの衛生装置を用いた動作を行う動作時間をコンピュータが推定するモニタリング方法であって、
前記衛生装置に設置された振動センサが検出した振動検出信号を無線送信する無線送信ステップと、
前記無線送信ステップで無線送信された前記振動検出信号に基づいて前記衛生装置を用いた動作を行う動作時間を推定する処理を行う動作時間推定ステップと、
を有するモニタリング方法。
【請求項１１】
コンピュータを、
石鹸塗布装置、給水栓、エアタオル及びアルコール塗布装置の少なくとも１つの衛生装置に設置された振動センサが検出した振動検出信号を受信する受信部、
前記受信部が受信した前記振動検出信号に基づいて前記衛生装置を用いた動作を行う動作時間を推定する動作時間推定部、
として機能させるプログラム。
【発明の詳細な説明】
【技術分野】
【０００１】
本発明は、衛生装置の使用状態を監視するモニタリングシステム、モニタリング方法及びプログラムに関する。
【背景技術】
【０００２】
医療従事者、食堂や学校給食の調理従事者にとって、感染予防のための手洗いや消毒薬等による手指消毒等の手指衛生行動は必要不可欠である。医療従事者や調理従事者に対する手指衛生行動の指針としてガイドラインが作成されているが、その遵守率は高くないとの報告がなされている。
【０００３】
これらのガイドラインにおいて、石鹸や消毒液を手指の適切な箇所に適切な方法で適切な時間摩擦し、適切な方法で灌ぐことが奨励されている。具体的には、石鹸や消毒液を、両手の手嘗、手背、指間、指先、母指、手首の各箇所について５回以上摩擦し、灌ぎ時にも同様に摩擦して石鹸や消毒液を除去すること等が奨励されている。
【０００４】
このようなガイドラインを遵守した手指衛生行動がなされているかを監視する方法が提案されている（例えば、特許文献１）。特許文献１に記載の手洗い設備は、石鹸塗布装置、給水栓及び殺菌装置等の手洗い設備に備えられたセンサ出力に基づいて、各衛生装置の駆動状況を監視する。そして、手指衛生行動が、手洗い手順に違反した場合又は塗布時間、給水時間あるいは殺菌時間が基準値より短い場合は、警告装置が警告を発し、やり直しを指示する。手洗い順序及び各手洗い時間の記録を取り、正しい手洗い作業を指導するために利用する。
【０００５】
また、所定の動作を実行したか否かを監視する方法として、監視エリアを撮影した画像に基づいて実行の有無を判定する方法が提案されている（例えば、特許文献２、３）。特許文献２に記載の監視システムは、監視エリア内にカメラを設置し、エリア内の移動体の動きをリアルタイムに撮影・画像処理することにより、移動軌跡と滞在時間を検出する。そして、所定位置に所定時間以上滞在したことに基づいて所定の行動を実行されたことを判定できると説明されている。
【０００６】
また、特許文献３に記載の手洗いモニタは、カメラを複数台設置し、カメラの撮影画像に基づいて所定エリアへの進入者を検出し、進入者の手洗いに係る身体部位を検出し、動作時間を計測する。これらの検出結果に基づいて、進入者が規定の手洗い動作を行ったか否かを判定できると説明されている。
【先行技術文献】
【特許文献】
【０００７】
【特許文献１】特開２００１−２９２９１８号公報
【特許文献２】特開２０１１−０３４４５８号公報
【特許文献３】特開２０１３−０１７６３１号公報
【発明の概要】
【発明が解決しようとする課題】
【０００８】
手指衛生行動のガイドライン遵守率を高めるには、行動自体の正確な評価、評価結果の時系列毎のデータ蓄積及び評価データに基づく当事者への衛生管理の的確なアドバイスが効果的であると言われている。しかし、従来の手指衛生行動の評価方法は、信頼性、客観性及びコスト面等で課題があった。
【０００９】
特許文献１の記載の手洗い設備に備えられた、石鹸塗布装置、給水栓、エアタオル及び殺菌装置は、使用者の手をセンサで検出して各装置を駆動させる電子式であり、従来又は既設の非電子式装置が流用できないという問題があった。また、各衛生装置の駆動時以外の手洗い動作（石鹸を付けてから、手をこすり合わす動作）が最も長い時間を要するが、手洗い行為の当該時間を特定することが出来なかった。これにより、手洗い行為の総時間を元に判定を行うことが出来ないという問題があった。
【００１０】
特許文献２に記載の監視システムは、使用者の位置と滞在時間を検出するのみであるため、使用者が立っているだけなのか、又は手を洗っているのかを判断することは困難であり、信頼性に欠けるという問題があった。
【００１１】
特許文献３に記載の手洗いモニタは、監視場所の形状に応じて、設置するカメラ台数や場所を検討する必要があり、撮影映像から手指を正確に検出するための調整も必要になる。更に、撮影映像を安定させるための照明の設置及び現場の環境条件に見合った機器仕様の選定等の必要がある。これは、採用するハードウェアが現場毎に変更となる可能性が有るため、基本的な画像処理ソフトを開発していても、現場に見合った画像処理ソフトを制作する必要が生じる。したがって、現地調査、現地工事等現場毎にシステムの見直しが必要となりコストが高くなるという課題があった。
【００１２】
本発明は、上記実情に鑑みてなされたものであり、手指衛生行動に対して、低コストで信頼性及び客観性を有する評価結果を得ることができるモニタリングシステム等を提供することを目的とする。
【課題を解決するための手段】
【００１３】
上記目的を達成するため、本発明の第１の観点に係るモニタリングシステムは、
石鹸塗布装置、給水栓、エアタオル及びアルコール塗布装置の少なくとも１つの衛生装置と、
前記衛生装置に設置され、振動を検出する振動センサと、
前記振動センサが検出した振動検出信号を無線送信する振動センサ無線タグと、
前記振動センサ無線タグが送信する前記振動検出信号に基づいて前記衛生装置を用いた動作を行う動作時間を推定する処理を行う処理装置と、
を備えることを特徴とする。
【００１４】
前記振動センサ無線タグは前記振動センサが振動を検出している間、前記振動検出信号の送信を継続し、
前記処理装置は、前記振動検出信号の受信を継続している時間を、前記衛生装置を用いた衛生行動の動作時間であると推定してもよい。
【００１５】
前記振動センサが備えられる前記衛生装置は、前記石鹸塗布装置及び前記給水栓を含み、
前記処理装置は、前記石鹸塗布装置の前記振動センサ無線タグが送信する前記振動検出信号の受信を停止した時刻から前記給水栓の前記振動センサ無線タグが送信する前記振動検出信号の受信を開始する時刻までの時間の全部又は一部を、手擦り動作の動作時間であると推定してもよい。
【００１６】
前記処理装置は、推定した前記動作時間が予め定めた時間以上であるときに正常の動作であると判定する処理を行ってもよい。
【００１７】
前記処理装置は、推定した前記動作時間が予め定めた時間を下回るときに動作のやり直し指示のメッセージ信号を出力する処理を行ってもよい。
【００１８】
前記衛生装置を使用する使用者が携帯する無線タグであって、前記使用者を識別する識別情報を無線送信する使用者無線タグを更に備え、
前記処理装置は同時に２以上の前記識別情報を受信した場合に、１の前記識別情報が示す使用者以外の使用者に、前記衛生装置から離れることを指示するメッセージ信号を出力してもよい。
【００１９】
前記衛生装置が配置された洗面台近傍の床面に設置され、前記使用者の接触を検出する接触センサと、
前記接触センサが検出した接触検出信号を無線送信する接触センサ無線タグと、を更に備え、
前記処理装置は、前記接触検出信号を受信した際に取得した前記識別情報が示す使用者を監視対象者として特定してもよい。
【００２０】
前記振動センサが備えられる前記衛生装置は、前記アルコール塗布装置を含み、
前記処理装置は、前記アルコール塗布装置の前記振動センサ無線タグが送信する前記振動検出信号の受信を停止した時刻から前記接触センサ無線タグが送信する前記接触検出信号の受信を停止した時刻までの時間の全部又は一部を、手擦り動作の動作時間であると推定してもよい。
【００２１】
前記衛生装置の使用者を撮影するカメラを更に備えてもよい。
【００２２】
また、本発明の第２の観点に係るモニタリング方法は、
石鹸塗布装置、給水栓、エアタオル及びアルコール塗布装置の少なくとも１つの衛生装置を用いた動作を行う動作時間をコンピュータが推定するモニタリング方法であって、
前記衛生装置に設置された振動センサが検出した振動検出信号を無線送信する無線送信ステップと、
前記無線送信ステップで無線送信された前記振動検出信号に基づいて前記衛生装置を用いた動作を行う動作時間を推定する処理を行う動作時間推定ステップと、
を有することを特徴とする。
【００２３】
また、本発明の第３の観点に係るプログラムは、
コンピュータを、
石鹸塗布装置、給水栓、エアタオル及びアルコール塗布装置の少なくとも１つの衛生装置に設置された振動センサが検出した振動検出信号を受信する受信部、
前記受信部が受信した前記振動検出信号に基づいて前記衛生装置を用いた動作を行う動作時間を推定する動作時間推定部、
として機能させることを特徴とする。
【発明の効果】
【００２４】
本発明によれば、手指衛生行動に対して、低コストで信頼性及び客観性を有する評価結果を得ることが可能となる。
【図面の簡単な説明】
【００２５】
【図１】実施の形態に係るモニタリングシステムの外観図を示した図である。
【図２】モニタリングシステムのブロック図である。
【図３】管理用端末の機能ブロック図である。
【図４】手指衛生行動監視処理を示すフローチャートである。
【図５】洗浄時間監視処理を示すフローチャートである。
【図６】洗浄時間監視処理を示すフローチャートである。
【図７】手指衛生行動の評価結果の例を示す表である。
【発明を実施するための形態】
【００２６】
（実施の形態）
本発明の実施の形態について図面を参照して詳細に説明する。
【００２７】
本実施の形態に係るモニタリングシステム１０は、図１に示すように、洗面台１００及びその周辺に備えられた衛生装置である、石鹸塗布装置１１０、アルコール塗布装置１２０、給水栓１３０、エアタオル１４０と、洗面台１００の近傍の床面に備えられた洗面台マット１５０と、を備える。また、モニタリングシステム１０は、管理用端末２００と、スピーカ３１０と、カメラ３２０と、衛生装置を使用する使用者３３０が携帯するＩＤカード３３１と、各装置間で無線通信する際に中継するビーコン送受信機３４０と、無線ＬＡＮ（Local Area Network）ルータ３５０を更に備える。
【００２８】
石鹸塗布装置１１０には振動センサ（Ａ）１１１と無線タグ１１２が備えられ、アルコール塗布装置１２０には振動センサ（Ｂ）１２１と無線タグ１２２が備えられている。また、給水栓１３０には振動センサ（Ｃ）１３１と無線タグ１３２が備えられ、エアタオル１４０には振動センサ（Ｄ）１４１と無線タグ１４２が備えられている。また、洗面台マット１５０には接触センサ１５１と無線タグ１５２が備えられ、ＩＤカード３３１には無線タグ３３２が内蔵されている。
【００２９】
図２に示すように、無線タグ１１２、１２２、１３２、１４２、１５２、３３２と、洗面台１００に備えられたビーコン送受信機３４０と、はビーコン信号を送受信する。また、ビーコン送受信機３４０は、無線ＬＡＮルータ３５０を介して管理用端末２００と無線ＬＡＮ信号を送受信する。
【００３０】
ここで、ビーコン信号は、数ｍの通信距離を想定した近距離無線信号であり、例えば、近距離無線通信規格のＢＬＥ（Ｂｌｕｅｔｏｏｔｈ（登録商標）  Ｌｏｗ  Ｅｎｅｒｇｙ）仕様に準拠した信号である。本実施の形態において無線タグ１１２、１２２、１３２、１４２、１５２が送信するビーコン信号は、自己の識別ＩＤであるビーコンＩＤ及びセンサデータを含む。また、無線タグ３３２及びビーコン送受信機３４０が送信するビーコン信号は、自己の識別ＩＤであるビーコンＩＤを含む。
【００３１】
振動センサ（Ａ）〜（Ｄ）１１１、１２１、１３１、１４１は、微振動も検出可能な任意のセンサであり加速度センサ等から構成される。接触センサ１５１は、洗面台マット１５１に対して鉛直方向にかかる加圧等により接触を検出する任意のセンサであり圧力センサ等から構成される。
【００３２】
石鹸塗布装置１１０は、液状又は泡状の石鹸を手動又は電動のポンプで放出する装置である。振動センサ（Ａ）１１１は、石鹸塗布装置１１０の表面の任意の場所に備えられており、石鹸塗布装置１１０が手動又は電動で石鹸を放出する際の振動を検出する。振動センサ（Ａ）１１１が振動を検出すると無線タグ１１２は直ちにビーコン信号をビーコン送受信機３４０に対して送信する。
【００３３】
アルコール塗布装置１２０は、液状のアルコールを手動又は電動のポンプで放出する装置である。振動センサ（Ｂ）１２１は、アルコール塗布装置１２０の表面の任意の場所に備えられており、アルコール塗布装置１２０が手動又は電動で石鹸を放出する際の振動を検出する。振動センサ（Ｂ）１２１が振動を検出すると無線タグ１２２は直ちにビーコン信号をビーコン送受信機３４０に対して送信する。
【００３４】
給水栓１３０は、給水管の末端に取り付けられ手動又は電動で流水の開閉を行う装置である。振動センサ（Ｃ）１３１は、給水栓１３０の表面の任意の場所に備えられており、給水栓１３０が手動又は電動で開栓して流水する際の振動を検出する。振動センサ（Ｃ）１３１が振動を検出すると無線タグ１３２は直ちにビーコン信号をビーコン送受信機３４０に対して送信する。
【００３５】
エアタオル１４０は、電動で温風又は冷風を放出して、吹き出し口に近づけた手指を乾燥させる装置である。振動センサ（Ｄ）１４１は、エアタオル１４０の任意の場所に備えられており、エアタオル１４０が温風又は冷風を放出する際の振動を検出する。振動センサ（Ｄ）１４１が振動を検出すると無線タグ１４２は直ちにビーコン信号をビーコン送受信機３４０に対して送信する。
【００３６】
洗面台マット１５０は、使用者３３０が手指衛生行動を実行する際に上に載るマットである。接触センサ１５１は、マットの所定の範囲内に備えられており、洗面台マット１５０に使用者３３０が載ることによる加圧等により接触を検出する。接触センサ１５１が接触を検出すると無線タグ１５２は直ちにビーコン信号をビーコン送受信機３４０に対して送信する。
【００３７】
使用者３３０は、医療従事者や調理従事者等のガイドラインに沿った手指衛生行動を義務づけられている人であり、ＩＤカード３３１を携帯している。ＩＤカード３３１に内蔵されている無線タグは固有のビーコンＩＤを送信する。ビーコンＩＤは使用者ＩＤとして使用者３３０の名前等の情報と対応づけて管理用端末２００で管理されている。
【００３８】
管理用端末２００は、図３に示すように、ＣＰＵ（Central Processing Unit：中央処理装置）２１０、送受信部２３０、記憶部２４０、表示部２５０を備える情報処理装置である。
【００３９】
送受信部２３０は、無線ＬＡＮルータ３５０を介して受信する信号をＣＰＵ２１０に出力する。送受信部２３０が受信する受信信号は、無線タグ１１２、１２２、１３２、１４２、１５２から送信されたビーコン信号に含まれるビーコンＩＤ及びセンサデータ、並びに無線タグ３３２から送信されたビーコン信号に含まれるビーコンＩＤを含む。
【００４０】
記憶部２４０は、大容量の記憶装置からなり、ＣＰＵ２１０が送受信部２３０から取得したビーコンＩＤ、センサデータに基づいて判定した動作判定結果等を記憶する。また、ＣＰＵ２１０が実行する手指衛生行動監視処理を実行するためのプログラムやその他のアプリケーションプログラム等も記憶する。
【００４１】
表示部２５０は、画像、文字等の情報表示出力を行うディスプレイであり、ＣＰＵ１１が実行した動作判定結果等を表示する。
【００４２】
ＣＰＵ２１０は、記憶部２４０に記憶しているプログラムを実行することにより、図３に示すように、対象者特定部２１１、石鹸塗布動作解析部２１２、石鹸手擦り動作解析部２１３、給水栓動作解析部２１４、エアタオル動作解析部２１５、アルコール塗布動作解析部２１６、アルコール手擦り動作解析部２１７、動作判定部２１８として機能する。
【００４３】
対象者特定部２１１には送受信部２３０が受信した信号のうち、接触センサ１５１の無線タグ１５２から出力されたビーコン信号とＩＤカード３３１の無線タグ３３２から出力されたビーコン信号の情報が入力される。対象者特定部２１１は、ＩＤカード３３１の無線タグ３３２が送信したビーコン信号を受信したときに、ビーコン信号に含まれる使用者ＩＤを取得する。
【００４４】
また、対象者特定部２１１は、洗面台マット１５０の接触センサ１５１が接触を検出したことを示す信号が入力された際に、取得した使用者ＩＤの使用者が手指衛生行動を監視する対象であると特定する。特定した監視対象者の情報を動作判定部２１８に出力する。その後対象者特定部２１１は、カメラ３２０を起動させ、監視対象の使用者３３０の手指衛生行動の様子を撮影する。カメラ３２０による撮影は、動画撮影、静止画撮影のいずれであってもよい。静止画撮影の場合、各衛生行動毎に撮影するようにしてもよい。
【００４５】
このとき、２以上のＩＤカード３３１の使用者ＩＤを取得した場合、最初に取得した使用者ＩＤ以外の使用者ＩＤを有する使用者３３０に対して、監視エリアから退出するように指示する音声をスピーカ３１０から出力させる。監視対象者を１名特定した場合は、石鹸塗布動作解析部２１２及びアルコール塗布動作解析部２１６で監視を開始する。
【００４６】
石鹸塗布動作解析部２１２には、送受信部２３０が受信した信号のうち、振動センサ（Ａ）１１１の無線タグ１１２から出力されたビーコン信号の情報が入力される。石鹸塗布動作解析部２１２は、石鹸塗布装置１１０の振動センサ（Ａ）１１１が振動を検出したことを示す信号の受信開始時刻と受信停止時刻を取得し、受信が継続した時間を計測する。石鹸塗布動作解析部２１２は計測した時間を、使用者３３０が手指に石鹸を塗布する石鹸塗布時間として動作判定部２１８に出力する。石鹸塗布時間は石鹸の塗布量に依存するので、基準の衛生動作ができているかを石鹸塗布時間に基づいて判定することができる。
【００４７】
石鹸手擦り動作解析部２１３は、石鹸塗布動作解析部２１２が取得した、振動センサ（Ａ）１１１が振動を検出したことを示す信号の受信停止時刻を取得する。また、給水栓動作解析部２１４に振動センサ（Ｃ）１３１が振動を検出したことを示す信号の受信開始時刻を取得する。
【００４８】
そして、石鹸手擦り動作解析部２１３は、石鹸塗布装置１１０の振動センサ（Ａ）１１１が振動の検出を停止してから給水栓１３０の振動センサ（Ｃ）１３１が振動の検出を開始するまでの時間を計測する。この時間は使用者３３０が石鹸を手指に塗布して擦る石鹸手擦り時間に相当する。なお、石鹸塗布が終わってから予め定めた時間後に手擦りが始まり、給水栓１３０の給水開始の予め定めた時間前に手擦りが終わるように解析してもよい。この場合は、振動センサ（Ａ）１１１が振動の検出を停止してから振動センサ（Ｃ）１３１が振動の検出を開始するまでの時間よりも数秒短い時間が石鹸手擦り時間に相当する。石鹸手擦り動作解析部２１３は、計測した石鹸手擦り時間を動作判定部２１８に出力する。
【００４９】
給水栓動作解析部２１４には、送受信部２３０が受信した信号のうち、振動センサ（Ｃ）１３１の無線タグ１３２から出力されたビーコン信号の情報が入力される。給水栓動作解析部２１４は、給水栓１３０の振動センサ（Ｃ）１３１が振動を検出したことを示す信号の受信開始時刻と受信停止時刻を取得し、受信が継続した時間を計測する。給水栓動作解析部２１４は計測した時間を、使用者３３０が手指の石鹸及び汚れを水で洗い流す水洗い時間として動作判定部２１８に出力する。
【００５０】
エアタオル動作解析部２１５には、送受信部２３０が受信した信号のうち、振動センサ（Ｄ）１４１の無線タグ１４２から出力されたビーコン信号の情報が入力される。エアタオル動作解析部２１５は、エアタオル装置１４０の振動センサ（Ｄ）１４１が振動を検出したことを示す信号の受信開始時刻と受信停止時刻を取得し、受信が継続した時間を計測する。エアタオル動作解析部２１５は計測した時間を、使用者３３０が手指を乾燥させる乾燥時間として動作判定部２１８に出力する。
【００５１】
アルコール塗布動作解析部２１６には、送受信部２３０が受信した信号のうち、振動センサ（Ｂ）１２１の無線タグ１２２から出力されたビーコン信号の情報が入力される。アルコール塗布動作解析部２１６は、アルコール塗布装置１２１の振動センサ（Ｂ）１２２が振動を検出したことを示す信号の受信開始時刻と受信停止時刻を取得し、受信が継続した時間を計測する。アルコール塗布動作解析部２１６は計測した時間を、使用者３３０が手指にアルコールを塗布するアルコール塗布時間として動作判定部２１８に出力する。アルコール塗布時間はアルコールの塗布量に依存するので、基準の衛生動作ができているかをアルコール塗布時間に基づいて判定することができる。
【００５２】
アルコール手擦り動作解析部２１７は、アルコール塗布動作解析部２１６が取得した、振動センサ（Ｂ）１２１が振動を検出したことを示す信号の受信停止時刻を取得する。また、接触センサ１５１が接触を検出したことを示す信号の受信停止時刻を取得する。
【００５３】
そして、アルコール手擦り動作解析部２１７は、アルコール塗布装置１２０の振動センサ（Ｂ）１２１が振動の検出を停止してから接触センサ１５１が接触の検出を停止するまでの時間を計測する。この時間は使用者３３０がアルコールを手指に塗布して擦るアルコール手擦り時間に相当する。なお、アルコール塗布が終わってから予め定めた時間後に手擦りが始まり、接触センサ１５１の接触検出停止の予め定めた時間前に手擦りが終わるように解析してもよい。この場合は、振動センサ（Ｂ）１２１が振動の検出を停止してから接触センサ１５１が接触の検出を停止するまでの時間よりも数秒短い時間がアルコール手擦り時間に相当する。アルコール手擦り動作解析部２１７は、計測したアルコール手擦り時間を動作判定部２１８に出力する。
【００５４】
動作判定部２１８は、対象者特定部２１１が特定した使用者３３０の情報と各動作解析部２１２〜２１７が取得した石鹸塗布時間、石鹸手擦り時間、水洗い時間、乾燥時間、アルコール塗布時間、アルコール手擦り時間を記憶部２４０に記憶させ、表示部２５０に表示させる。
【００５５】
そして、動作判定部２１８は、石鹸塗布時間、石鹸手擦り時間、水洗い時間、乾燥時間、アルコール塗布時間、アルコール手擦り時間を、予め設定しておいた各基準時間と比較し、基準時間以上のとき各衛生行動が正常行動であったと判定する。基準時間を下回る場合は、衛生行動時間が不十分であるとしてスピーカ３１０からやり直し指示のメッセージを出力させる。
【００５６】
ここで、基準時間は予めテストを行うことで各衛生行動に必要な時間を決定しておく。例えば、必要な石鹸やアルコールの塗布量をポンプで放出させるときの振動継続時間をテスト計測し、計測結果に基づいて石鹸又はアルコールの塗布に係る基準時間を決定する。
【００５７】
また、手擦り動作についてはガイドライン等に両手の手掌、手背、指間、指先、母指、手首等の各箇所を５回以上擦ることが推奨されている場合には、当該手擦り動作全てにかかる時間をテスト計測し、計測結果に基づいて手擦りに係る基準時間を決定する。また、水洗いや乾燥に要する時間を予めテスト計測し、計測結果に基づいて水洗い又は乾燥に係る基準時間を決定する。
【００５８】
以上のように構成されたモニタリングシステム１０の動作を図４〜６のフローチャートに沿って詳細に説明する。
【００５９】
監視エリア内にＩＤカード３３１を保持した使用者３３０が入ったとき、ビーコン送受信機３４０がビーコン信号を受信し、管理用端末２００に送信する。ＣＰＵ２１０の対象者特定部２１１は、送受信部２３０がＩＤカード３３１の使用者ＩＤを含む信号を受信したか否かを判定する（ステップＳ１０１）。
【００６０】
送受信部２３０が使用者ＩＤを含む信号を受信したとき（ステップＳ１０１：Ｙｅｓ）、使用者ＩＤを複数検出したか否かを判定する（ステップＳ１０２）。複数の使用者３３０が監視エリア内に入ったために、使用者ＩＤを複数検出した場合（ステップＳ１０２：Ｙｅｓ）、監視対象を特定できなくなるため、最初に検出した使用者ＩＤ以外のＩＤを保持する使用者３３０に対して、監視エリアの外に退出するように指示するメッセージをスピーカ３１０より出力させる（ステップＳ１０３）。その後ステップＳ１０２に戻る。
【００６１】
使用者３３０が監視エリア内に１人となり、対象者特定部２１１が使用者ＩＤを１つのみ検出したと判定した場合（ステップＳ１０２：Ｎｏ）、所定時間以内に接触センサ１５１が接触を検出したか否かを判定する（ステップＳ１０４）。当該使用者ＩＤを保持する使用者が所定時間以内に洗面台マット１５０の上に載り、接触センサ１５１が接触を検出したとき（ステップＳ１０４：Ｙｅｓ）、対象者特定部２１１は、当該使用者ＩＤを保持する使用者３３０を監視対象者として特定する（ステップＳ１０６）。
【００６２】
一方、所定時間以内に接触センサ１５１が接触を検出しなかったとき（ステップＳ１０４：Ｎｏ）、特定した使用者ＩＤを有する使用者に手指衛生行動を実施する意思がないものと判断して、監視エリア外に退出するように指示するメッセージをスピーカ３１０より出力させる（ステップＳ１０５）。その後ステップＳ１０１に戻る。
【００６３】
監視対象の使用者３３０の使用者ＩＤを特定した後に（ステップＳ１０６）、カメラを起動し使用者３３０を撮影開始し（ステップＳ１０７）、図５、図６に示す洗浄時間監視処理を実行する（ステップＳ１０８）。
【００６４】
洗浄時間監視処理において、まず、ＣＰＵ２１０は無線タグ１１２から送信されたビーコン信号の受信の有無に基づいて、振動センサ（Ａ）１１１が振動を検出したか否かを判定する（ステップＳ２０１）。振動センサ（Ａ）１１１が振動を検出しなかった場合には（ステップＳ２０１：Ｎｏ）、図６のステップＳ３０１の処理に進む。
【００６５】
振動センサ（Ａ）１１１が振動を検出した場合には（ステップＳ２０１：Ｙｅｓ）、石鹸塗布動作解析部２１２は、振動を検出したことを示す信号の受信が継続した振動時間を計測し、振動時間が基準値以上か否かを判定する（ステップＳ２０２）。振動時間が基準値未満であった場合には（ステップＳ２０２：Ｎｏ）、石鹸塗布のやり直しを指示するメッセージをスピーカ３１０より出力させて（ステップＳ２０３）、ステップＳ２０２に戻る。
【００６６】
振動時間が基準値以上であった場合は（ステップＳ２０２：Ｙｅｓ）、石鹸手擦り動作解析部２１３が、振動センサ（Ａ）１１１が振動を検出したことを示す信号の受信を停止してから、給水栓１３０の振動センサ（Ｃ）１３１が振動を検出したことを示す信号の受信を開始するまでの時間、すなわち石鹸手擦り時間を計測する（ステップＳ２０４）。
【００６７】
石鹸手擦り動作解析部２１３はステップＳ２０４で計測した石鹸手擦り時間が基準値以上であるか否かを判定する（ステップＳ２０５）。石鹸手擦り時間が基準値未満であった場合には（ステップＳ２０５：Ｎｏ）、手擦りのやり直しを指示するメッセージをスピーカ３１０より出力させて（ステップＳ２０６）、ステップＳ２０２に戻る。使用者３３０は石鹸塗布から再度実行する。
【００６８】
石鹸手擦り時間が基準値以上であった場合には（ステップＳ２０５：Ｙｅｓ）、給水栓動作解析部２１４が、給水栓１３０の振動センサ（Ｃ）１３１が振動を検出したことを示す信号の受信が継続した振動時間を計測し、振動時間に相当する水洗い時間が基準値以上か否かを判定する（ステップＳ２０７）。
【００６９】
水洗い時間が基準値未満であった場合には（ステップＳ２０７：Ｎｏ）、石鹸及び汚れを洗い流す水洗い動作のやり直しを指示するメッセージをスピーカ３１０より出力させて（ステップＳ２０８）、ステップＳ２０７に戻る。
【００７０】
水洗い時間が基準値以上であった場合には（ステップＳ２０７：Ｙｅｓ）、エアタオル動作解析部２１５が、エアタオル１４０の振動センサ（Ｄ）１４１が振動を検出したことを示す信号の受信が継続した振動時間を計測し、振動時間に相当する乾燥時間が基準値以上か否かを判定する（ステップＳ２０９）。
【００７１】
乾燥時間が基準値未満であった場合には（ステップＳ２０９：Ｎｏ）、手指の乾燥動作のやり直しを指示するメッセージをスピーカ３１０より出力させて（ステップＳ２１０）、ステップＳ２０９に戻る。
【００７２】
乾燥時間が基準値以上であった場合には（ステップＳ２０９：Ｙｅｓ）、石鹸塗布動作、石鹸手擦り動作、水洗い動作、乾燥動作についての評価結果を使用者ＩＤに対応づけて記憶部２４０に記憶して（ステップＳ２１１）処理を終了する。
【００７３】
ステップＳ２０１で、振動センサ（Ａ）１１１が振動を検出しなかった場合には（ステップＳ２０１：Ｎｏ）、振動センサ（Ｂ）１２１が振動を検出したか否かを判定する（図６、ステップＳ３０１）。振動センサ（Ｂ）が振動を検出しなかった場合には（ステップＳ３０１：Ｎｏ）、図５のステップＳ２０１に戻る。
【００７４】
振動センサ（Ｂ）１２１が振動を検出した場合には（ステップＳ３０１：Ｙｅｓ）、アルコール塗布動作解析部２１６は、振動センサ（Ｂ）１２１が振動を検出したことを示す信号の受信が継続した振動時間を計測し、振動時間が基準値以上か否かを判定する（ステップＳ３０２）。振動時間が基準値未満であった場合には（ステップＳ３０２：Ｎｏ）、アルコール塗布のやり直しを指示するメッセージをスピーカ３１０より出力させて（ステップＳ３０３）、ステップＳ３０１に戻る。
【００７５】
振動時間が基準値以上であった場合は（ステップＳ３０２：Ｙｅｓ）、アルコール塗布動作解析部２１６が、振動センサ（Ｂ）１２１が振動を検出したことを示す信号の受信が停止してから、洗面台マット１５０の接触センサ１５１が接触を検出したことを示す信号の受信が停止するまでの時間、すなわちアルコールの手擦り時間を計測する（ステップＳ３０４）。
【００７６】
アルコール手擦り動作解析部２１７はステップＳ３０４で計測した手擦り時間が基準値以上であるか否かを判定する（ステップＳ３０５）。手擦り時間が基準値未満であった場合には（ステップＳ３０５：Ｎｏ）、手擦りのやり直しを指示するメッセージをスピーカ３１０より出力させて（ステップＳ３０６）、ステップＳ３０１に戻る。使用者はアルコール塗布から再度実行する。
【００７７】
手擦り時間が基準値以上であった場合には（ステップＳ３０５：Ｙｅｓ）、アルコール塗布動作、アルコール手擦り動作についての評価結果を使用者ＩＤに対応づけて記憶部２４０に記憶して（ステップＳ３０７）処理を終了する。
【００７８】
動作判定部２１８が判定した結果は、例えば、図７に示すような帳票で表すことができる。
【００７９】
図７の帳票において、発生時刻は、各動作を実行していると推定される時刻である。例えば、使用者Ａは時刻９時００分００秒から９時００分０５秒まで石鹸塗布を行っており、この石鹸塗布時間は基準時間より長いために正常動作であると判定し記録している。
【００８０】
また、使用者Ｃは１０時１０分１６秒から１０時１０分２１秒まで石鹸手擦り動作を行っているが、この石鹸手擦り時間は基準時間より短いため、やり直し指示がなされ、使用者Ｃは石鹸塗布動作からやり直していることが記録されている。また、１２時１０分００秒にＩＤカードを携帯していない者が衛生装置を使用しているが、この場合、全体の動作時間のみを記録している。また、１３時１１分１１秒に使用者Ｆが監視エリアに入ってきたものの、使用者Ｅが衛生装置を使用中であるため、監視エリアから離れるように指示された旨も記録している。
【００８１】
以上説明したように、本実施の形態においては、石鹸塗布装置１１０、アルコール塗布装置１２０、給水栓１３０、エアタオル１４０にそれぞれ振動センサ１１１、１２１、１３１、１４１を設置し、洗面台マット１５０に接触センサ１５１を設置し、各センサ信号を受信する管理用端末２００が、センサ信号に基づいて衛生行動の動作時間を取得し、当該時間が基準時間以上である場合に正常動作であると判定することとした。これにより、既存の衛生装置を使用することができるため低コストで信頼性及び客観性を有する評価結果を得ることができる。このような正確な評価結果を活用して医療従事者、調理従事者等を指導することで、手指衛生行動のガイドライン遵守率を高めることができる。
【００８２】
このように本発明は、石鹸塗布装置、給水栓、エアタオル及びアルコール塗布装置の少なくとも１つの衛生装置に、振動を検出する振動センサと、振動センサが検出した振動検出信号を無線送信するセンサ無線タグと、を備え、振動検出信号に基づいて衛生装置を用いた動作を行う動作時間を推定することとした。これにより、低コストで信頼性及び客観性を有する評価結果を得ることが可能となる。
【００８３】
なお、本発明は、上記実施の形態に限定されず、本発明の要旨を逸脱しない範囲での種々の変更は勿論可能である。
【００８４】
例えば、上記実施の形態において、衛生装置として石鹸塗布装置１１０、アルコール塗布装置１２０、給水栓１３０、エアタオル１４０を使用したが、動作時に振動センサが振動を検出可能な装置であれば、他の任意の装置を使用してもよい。
【００８５】
また、ビーコン送受信機３４０が各装置に備えた無線タグからのビーコン信号を受信するとしたが、管理用端末２００で直接受信するようにしてもよい。
【００８６】
また、ＣＰＵ２１０が実行した処理のプログラムを、既存のパーソナルコンピュータ等の通信端末で実行させることにより、当該通信端末を本発明に係る管理用端末２００として機能させることも可能である。
【００８７】
このようなプログラムの配布方法は任意であり、例えば、ＣＤ−ＲＯＭ（Compact Disc Read-Only Memory）、ＤＶＤ（Digital Versatile Disc）、ＭＯ（Magneto Optical Disc）、メモリカード等のコンピュータ読み取り可能な記録媒体に格納して配布してもよいし、インターネット等の通信ネットワークを介して配布してもよい。
【符号の説明】
【００８８】
１０…モニタリングシステム
１００…洗面台
１１０…石鹸塗布装置
１２０…アルコール塗布装置
１３０…給水栓
１４０…エアタオル
１５０…洗面台マット
１１１…振動センサ（Ａ）
１２１…振動センサ（Ｂ）
１３１…振動センサ（Ｃ）
１４１…振動センサ（Ｄ）
１５１…接触センサ
１１２，１２２，１３２，１４２，１５２，３３２…無線タグ
２００…管理用端末
２１０…ＣＰＵ
２１１…対象者特定部
２１２…石鹸塗布動作解析部
２１３…石鹸手擦り動作解析部
２１４…給水栓動作解析部
２１５…エアタオル動作解析部
２１６…アルコール塗布動作解析部
２１７…アルコール手擦り動作解析部
２１８…動作判定部
２３０…送受信部
２４０…記憶部
２５０…表示部
３１０…スピーカ
３２０…カメラ
３３０…使用者
３３１…ＩＤカード
３４０…ビーコン送受信機
３５０…無線ＬＡＮルータ
【図１】
2017012597.tif 000003
【図２】
2017012597.tif 000004
【図３】
2017012597.tif 000005
【図４】
2017012597.tif 000006
【図５】
2017012597.tif 000007
【図６】
2017012597.tif 000008
【図７】
2017012597.tif 000009